(57)【要約】【課題】擁壁用ブロックと背面型枠とを連結するセパレータの連結作業の容易化を図ることができ、また擁壁用ブロックの積み上げ勾配に対して背面型枠の勾配を任意にすることができるようにする。【解決手段】擁壁用ブロック１と背面型枠２とをセパレータ３にて連結して法面４の前側に積み重ね、擁壁用ブロックと背面型枠との間にコンクリートを打設し、背面型枠と法面との間に裏込材を充填してなる擁壁において、セパレータの一端を擁壁用ブロックと、他端を背面型枠とに、それぞれ回転可能に連結し、セパレータを長さ調節可能にした。【選択図】図５
2006312830.tif 000002
【特許請求の範囲】
【請求項１】
擁壁用ブロックと背面型枠とをセパレータにて連結して法面の前側に積み重ね、擁壁用ブロックと背面型枠との間にコンクリートを打設し、背面型枠と法面との間に裏込材を充填してなる擁壁において、
セパレータの一端を擁壁用ブロックと、他端を背面型枠とに、それぞれ回転可能に連結したことを特徴とする擁壁。
【請求項２】
セパレータを長さ調節可能にしたことを特徴とする請求項１に記載の擁壁。
【発明の詳細な説明】
【技術分野】
【０００１】
本発明は、擁壁用ブロックと背面型枠とをセパレータにて連結して法面の前側に積み重ね、擁壁用ブロックと背面型枠間にコンクリートを打設し、背面型枠と法面との間に砕石等の裏込材を充填してなる擁壁に関するものである。
【背景技術】
【０００２】
従来のこの種の擁壁は、予め仮置き場にてセパレータの一端を擁壁用ブロックの背面に埋設したインサートに連結し、他端を背面型枠に固着した金具に連結して仮組立体とし、この仮組立体を各擁壁用ブロックの前面を揃えて法面の前側に順次千鳥状に積み重ねるようになっている（例えば、特許文献１参照）。
【０００３】
【特許文献１】特開平１１−２９９４５号公報
【発明の開示】
【発明が解決しようとする課題】
【０００４】
上記した従来の擁壁にあっては、擁壁用ブロックと背面型枠とを連結するセパレータは、これの各端部が擁壁用ブロック及び背面型枠のそれぞれに対して一体状に取り付けるようになっていたため、擁壁用ブロックの勾配に対して背面型枠の勾配が異なる場合、セパレータによる連結ができなくなるという問題がある。
【０００５】
また、上記セパレータは擁壁用ブロックの各段ごとに同一長さのものが用いられ、かつ各段ごとに水平（平行）に設置されるようになっていたため、擁壁用ブロックの前面と背面型枠のそれぞれの勾配が平行である場合には問題ないが、両者の勾配が平行でない場合や背面型枠の寸法（法長）が擁壁用ブロックの前壁と異なる場合には工事が不可能になってしまい、極めて汎用性に欠けているという問題があった。
【０００６】
本発明は上記のことに鑑みなされたもので、擁壁用ブロックと背面型枠とを連結するセパレータの連結作業の容易化を図ることができ、また擁壁用ブロックの積み上げ勾配に対して背面型枠の勾配を任意にすることができるようにした背面型枠を用いた擁壁を提供することを目的とするものである。
【課題を解決するための手段】
【０００７】
上記目的を達成するために、本発明に係る擁壁は、擁壁用ブロックと背面型枠とをセパレータにて連結して法面の前側に積み重ね、擁壁用ブロックと背面型枠との間にコンクリートを打設し、背面型枠と法面との間に裏込材を充填してなる擁壁において、セパレータの一端を擁壁用ブロックと、他端を背面型枠とに、それぞれ回転可能に連結した構成になっており、また上記セパレータを長さ調節可能にした。
【発明の効果】
【０００８】
本発明によれば、擁壁用ブロックと背面型枠とを連結するセパレータの両端を、これらに対して回転可能にしたことにより、セパレータの連結部の自由度が大きくなり、擁壁用ブロックと背面型枠とを連結するセパレータの連結作業を容易に行うことができる。そしてこのセパレータを長さを調節可能にしたことにより、背面型枠の勾配を擁壁用ブロックや法面の勾配に関係なく設定でき、背面型枠の部分の勾配が擁壁の勾配と異なる場合でも擁壁の築構を容易に行うことができる。
【発明を実施するための最良の形態】
【０００９】
図１から図５は擁壁用ブロック１と背面型枠２とをセパレータ３にて連結した１組のブロック組立体Ａを示すもので、図１は前側から見た斜視図、図２は後側から見た斜視図、図３は法面４の前側に設置した状態を示す側面図、図４はその平面図である。
【００１０】
擁壁用ブロック１は前後に離隔した前壁５と後壁６と、両壁５，６をそれぞれの左右方向中央部での上部と下部で接続する上下の梁部材７ａ，７ｂとからなっている。前壁５と後壁６は横長の矩形になっており、後壁６の長さが前壁５のそれより左右両側で少し短くなっている。そしてこの擁壁用ブロック１は上下の各面は水平になっていて、前壁５と後壁６は同一高さで、かつ上側が後退する方向に平行に傾斜されている。
【００１１】
上側の梁部材７ａには擁壁用ブロック１の上面より突出する突起８が設けてあり、この突起８の前後の端部が、千鳥状に積み重ねられて上側に配置される他の擁壁用ブロック１の前壁と後壁６の側端部の内側面に当接して前後方向に係合されるようになっている（図１１、図１２参照）。
【００１２】
前記擁壁用ブロック１はコンクリートにて成形されており、これの背面、すなわち後壁６の背面の横方向の２個所に、上記セパレータ３の一端を連結する第１連結部９，９が設けてある。
【００１３】
この第１連結部９は、その一例として図５、図６に示すようになっていて、擁壁用ブロック１の後壁６に埋設されるインサート１０と、このインサート１０にボルト１１に固着される第１金具１２とからなっている。この第１金具１２は一対の舌片を有し、後述するように２本のセパレータ３，３のそれぞれの端部をこの舌片間に入れて重ね合わせ、これに貫通する連結ボルト１３にて回転可能に連結されるようになっている。
【００１４】
背面型枠２は所定の厚みを有する木毛板、ベニヤ板等の板材が用いられている。そしてこれの縦方向の幅は擁壁用ブロック１の傾斜方向の高さと同一寸法になっている。この背面型枠２には、上記擁壁用ブロック１の横方向に離隔して設けられた第１連結部９，９と同一の間隔位置にセパレータ３の他端を連結する第２連結部１４，１４が設けてある。
【００１５】
この第２連結部１４は図７、図８に示すようになっていて、背面型枠２に釘にて固着される第２金具１５にて構成されており、この第２金型１５は上下に離隔して２個ずつ設けてあり、これのそれぞれに上記第１金具１２に連結された２本のセパレータ３，３の他端が、これに貫通するボルト１６に回転可能に連結されるようになっている。
【００１６】
セパレータ３は図９、図１０に示すようになっていて、断面形状がコ字状になっている棒状の第１部材３ａと第２部材３ｂとからなっている。そして一方の、例えば第１部材３ａの内側形状は第２部材３ｂの外側形状となっていて、第１部材３ａに第２部材３ｂがスライド自在に嵌め合うようになっている。なお両部材の断面形状は、図１０に示すようにコ字状の開口側が少し狭くなっていて、内側の第２部材３ｂが開口方向に外れないようになっている。
【００１７】
第１・第２の両部材３ａ，３ｂのそれぞれの先端の背部に上記各連結部９，１４のボルトが貫通する孔３ｃ，３ｃが設けてあり、また嵌め合って重複する部分のそれぞれの背面に、長手方向に長くした長孔１７，１７が長手方向に複数個設けてあり、両部材３ａ，３ｂを嵌め合わせてそれぞれの長孔１７，１７にボルト１８を貫通させてナット１９にて結合することにより、両部材３ａ，３ｂが自由長さ状態で結合されるようになっている。
【００１８】
上記構成において、各ブロック組立体Ａの積み重ね方法を図３、図４及び図１１、図１２にて説明する。
【００１９】
図３に示すように、法面４の前方に設けた基礎工２０上に最下層の擁壁用ブロック１を据え付ける。そして各擁壁用ブロック１の背面側で、かつ法面４から離隔する位置に背面型枠２を配置する。そしてこの背面型枠２と擁壁用ブロック１とをセパレータ３にて連結する。この背面型枠２と法面４との間に裏込砕石２１を投入する。
【００２０】
このとき図５、図６に示すように、擁壁用ブロック１の背面に埋設した各インサート１０に第１金具１２を固着し、この第１金具１２に２本のセパレータ３，３の一端を連結し、一方のセパレータ３の他端を上下に離隔して背面型枠２に設けたその一方の第２金具１５に、他方のセパレータ３の他端を他方の第２金具１５にそれぞれ連結する。このときの各連結は上下方向に回転自在に連結される。また、第１・第２の金具１２，１５とセパレータ３との連結部では横方向に遊びがあることにより、横方向にも若干の自由度が与えられている。また、このときのセパレータ３の長さは、このセパレータ３を構成する第１・第２の部材をスライドして、長孔１７，１７でボルト、ナット１８，１９にて固定することにより任意に設定することができる。
【００２１】
これらのことから、背面型枠２は擁壁用ブロック１の前壁５と平行に、あるいは法面４に平行に、さらには任意の角度に設置できる。
【００２２】
次に図１１、図１２に示すように、上記した最下層の擁壁用ブロック１の上側に、２層、３層の各擁壁用ブロック１を、それぞれの前壁５と後壁６の両端部突起８に当接し、千鳥状に積み重ねる。そして、この各擁壁用ブロック１に対応する背面型枠２は、上記最下層側の背面型枠２の上側に、それぞれの木端を突き合わせて積み重ねる。このとき上下の各背面型枠２の両木端間に図１５に示すジョイナ２２を設けることにより、各背面型枠２が前後にずれることなく積み上げられる。そしてこのときの各背面型枠２は、最下層の背面型枠２と同一の角度で積み上げられ、この各背面型枠２と各擁壁用ブロック１との間隔に合わせてセパレータ３の長さを調節してそれぞれ連結する。
【００２３】
上記工程において、擁壁用ブロック１と背面型枠２の間に、擁壁用ブロック１の１段ごとに、あるいは数段ごとに、さらには積み上げ完了の時点においてコンクリートを打設する。このときセパレータ３はそのままコンクリート内に埋め込む。
【００２４】
セパレータ３は市販品を使うこともできる。
【００２５】
なお上記した実施の形態では、第１連結部９の第１金具１２を擁壁用ブロック１の後壁６に固着した例を示したが、図１６に示すように第１金具１２ａを後壁６に立設した１本のボルト１１ａに遊嵌させ、このボルト１１ａに対して回転可能に、かつ首振り可能に係合するようにしてもよい。この場合、セパレータ３の第１連結部での自由度を高くすることができる。
【００２６】
図１７、図１８は第１連結部９のさらに異なる実施の形態を示すもので、舌片２３を有するインサート１０ａを、これの舌片２３を突出させて後壁６に埋め込み、これの舌片２３の両側にセパレータ３，３をこれに貫通するボルト２４にて上下方向に回転可能に連結するようにしている。
【００２７】
上記したように、擁壁用ブロック１と背面型枠２と連結するセパレータ３は、長さ調節自在であると共に、擁壁用ブロック１と背面型枠２のそれぞれに対して上下方向に回転可能で、かつ横方向にも自由度を有していることにより、背面型枠２の角度を擁壁用ブロック１の積み上げ角度に対して任意に設定することができる。図１３は擁壁用ブロック１と背面型枠２とを平行にした例であり、この場合各セパレータ３は同一長さにする。また、図１４は擁壁用ブロック１の傾斜に対して背面型枠２の傾斜を小さくした例であり、この場合、上側のセパレータ３を徐々に短くする。なお、この図１３、図１４においての第２連結部１４の上下方向位置は任意にとられている。この場合、セパレータ３の長さを変えることで対応している。
【図面の簡単な説明】
【００２８】
【図１】ブロック組立体の斜め前側からの斜視図である。
【図２】ブロック組立体の斜め後側からの斜視図である。
【図３】ブロック組立体の施工状態を示す側面図である。
【図４】ブロック組立体の施工状態を示す平面図である。
【図５】第１連結部を示す一部断面側面図である。
【図６】図６のＸ−Ｘ断面図である。
【図７】第２連結部を示す一部断面側面図である。
【図８】第２連結部を示す一部破断平面面である。
【図９】セパレータを示す斜視図である。
【図１０】図９のＹ−Ｙ拡大断面図である。
【図１１】ブロック組立体の積み上げ状態の斜め前側の斜視図である。
【図１２】ブロック組立体の積み上げ状態の斜め後側の斜視図である。
【図１３】擁壁用ブロックと背面型枠とが平行の場合の擁壁を示す側面図である。
【図１４】擁壁用ブロックと背面型枠との間隔が上方側で徐々に狭くなる場合の擁壁を示す側面図である。
【図１５】ジョイナを示す斜視図である。
【図１６】第１連結部の他例を示す一部破断平面図である。
【図１７】第１連結部の他例を示す側面図である。
【図１８】第１連結部の他例を示す一部破断平面図である。
【符号の説明】
【００２９】
Ａ…ブロック組立体、１…擁壁用ブロック、２…背面型枠、３…セパレータ、３ａ，３ｂ…第１・第２部材、３ｃ…孔、４…法面、５…前壁、６…後壁、７ａ，７ｂ…上下の梁部材、８…突起、９…第１連結部、１０，１０ａ…インサート、１１，１１ａ…ボルト、１２，１２ａ…第１８金具、１３…連結ボルト、１４…第２連結部、１５…第２金具、１７…長孔、１８…ボルト、１９…ナット、２０…基礎工、２１…裏込砕石、２２…ジョイナ、２３…舌片。
【図１】
2006312830.tif 000003
【図２】
2006312830.tif 000004
【図３】
2006312830.tif 000005
【図４】
2006312830.tif 000006
【図５】
2006312830.tif 000007
【図６】
2006312830.tif 000008
【図７】
2006312830.tif 000009
【図８】
2006312830.tif 000010
【図９】
2006312830.tif 000011
【図１０】
2006312830.tif 000012
【図１１】
2006312830.tif 000013
【図１２】
2006312830.tif 000014
【図１３】
2006312830.tif 000015
【図１４】
2006312830.tif 000016
【図１５】
2006312830.tif 000017
【図１６】
2006312830.tif 000018
【図１７】
2006312830.tif 000019
【図１８】
2006312830.tif 000020